【事件の表示】
　平成　９年特許願第１７８３３７号「スレッド移動方法」拒絶査定に対する審判事件［平成１１年　１月２９日出願公開、特開平１１−　２５６２２］について、次のとおり審決する。
【結　論】
　本件審判の請求は、成り立たない。
【理　由】
１．出願の経緯、本願発明
　本願は、平成９年７月３日の出願であって、その請求項１に係る発明は、平成１２年９月２１日付け手続補正によって補正された明細書及び図面の記載からみて、その特許請求の範囲の請求項１に記載された次のとおりのものと認める。（以下、「本願発明」という。）
　なお、平成１３年３月１４日付け手続補正は却下された。
「ピックアップをスレッド方向に移動してトラックジャンプさせるスレッドモータと、前記スレッドモータの回転に応じて回転するかつ複数のスリットが周方向等間隔に形成されている遮光板と、前記遮光板のスリットに応じて検出パルスを出力するセンサとを備え、前記スレッドモータを加速した後減速してトラックジャンプを行うスレッド移動方法において、
　ジャンプする総トラック本数から加速トラック本数を求め、
　前記加速トラック本数に対応するジャンプパルスによって前記スレッドモータを駆動し、
　ジャンプしたトラック本数が前記加速トラック本数と等しくなったとき前記スレッドモータの減速を開始し、
　前記スレッドモータの減速の開始の後前記検出パルスに基づいて前記スレッドモータの回転数をモニタし、
　前記回転速度が所定値より小さくなるまで前記スレッドモータを減速させるようにしたことを特徴とする、スレッド移動方法。」
　
２．引用例
　これに対して、原査定の拒絶の理由に引用された、特開昭４７−１９８１２号公報（昭和４７年９月２６日出願公開、以下「引用例」という）には、以下の記載がある。
「本発明は物体を正確に運動させるための移動制御装置に関するものであり、例えばディスク・ファイルとして一般に知られた形式の磁気データ貯蔵装置に関する読み書きヘッドの正確な移動に対して特別の用途を有する。この形式の貯蔵装置ではデータの細目は平坦なディスク上の同心円状トラックに磁気的表示法により貯蔵される。」（第１頁左下欄第１７行〜右下欄第４行）
「モータ制御装置、特にステッピング・モーターにあってはモーターの加速と減速のみが与えられ速度制御は与えられないことが屡々ある。そのような制御装置及びステッピングモーターが用いられて前述のような読み書きヘッドのような物体を位置づけするときは、若しもモーターが加速されるとそのときヘッドが動き始め、その後停止ルーチンを開始するため要求される速度まで速度を下げるために減速される。必要とするヘッドの移動距離の長さは加速及び減速のための時間に影響を与える。何故ならば到達する最高速度は装置全体の特性及び所定の距離に依存して決まるからである。
　移動の経路中の正しい位置で加速から減速へ切り換わることが必要である。これは若しも装置の特性及び移動の距離がわかっていれば算定でき、これによってモーターが制御される。この原理を用いる周知の制御装置は、ヘッドの凡ゆる移動に関する切換位置を教える関数表を予め作っておき、各位動毎にこの関数表をルックアップ（索引）する手段を伴っている。」（第２頁左上欄第５行〜右上欄第５行）
「この装置は第１図に示されたディスク・ファイルのモーター６を制御するのに使用されたとき、以下のように動作する。ヘッド７をトランスジューサ８と共に現在位置からＸトラック離れたトラック９へ移動するための命令がＣＰＵ１６から受取られる。（中略）位置表示装置１８はヘッド７がトラック９を横切る度毎にパルスを発生し始める。装置１８は電磁装置或いは光学装置と共同してロッド５の回転及びヘッド７の移動と同期したパルスを発生するように働く円盤等でよい。」（第３頁左下欄第１４行〜右下欄第１２行）
「上述のことから計数器１１及び１２は最初に同一の値Ｘが装填され読み書きヘッド７がトラック９を横切る回数に相当するパルスによって減算されるけれども、計数器１２にはその計数値によって定まる割合で与えられる追加の減算パルスが供給される。従って計数器１２の計数値は計数器１１の計数値より先に０に到達する。」（第４頁右上欄第１４〜２０行）
「第４図の検出器１３，１４は夫々計数器１１及び１２中の計数値１及び０を検出してモーター検出装置１５へ制御信号を供給する。検出器１４からの制御信号はロッド５の運動を加速から減速へ切換える。これは第２図の点Ａに相当する。（中略）点Ａと点Ｃとの間の点Ｂはモーター６及びロッド５の減速によりロッド５が速度Ｓ（一定に維持される速度）迄低下したときに到達される。」（第４頁右下欄第１２行〜第５頁左上欄第３行）
　
　これらの記載及び図面を参照すると、引用例には以下の発明が記載されていると認められる。
「ヘッドをトラックを横切る方向に移動させるモーターと、光学装置と共動し前記モーターによって回転するロッドの回転と同期したパルスを発生する円板等とを備え、前記モーターを加速した後減速して前記ヘッドを現在位置からＸトラック離れたトラックへ移動するヘッド移動制御方法において、
　移動するトラック数Ｘから加速から減速に切換える切換位置を求め、
　前記切換位置に達するまで、パルスによって前記モーターを駆動し、
　前記切換位置に達すると、前記モーターの減速を開始し、
　前記モーターの減速の開始の後、ロッドの回転速度が所定値より小さくなるまで前記スレッドモータを減速させるようにしたことを特徴とする、ヘッド移動制御方法。」
　
３．対比
　本願発明と引用例記載の発明とを対比する。
・引用例記載の発明の「ヘッドをトラックを横切る方向に移動させるモーター」「前記ヘッドを現在位置からＸトラック離れたトラックへ移動する」「Ｘトラック」「切換位置」「前記切換位置に達するまで、パルスによって前記モーターを駆動」「前記切換位置に達する」が、本願発明の「ピックアップをスレッド方向に移動してトラックジャンプさせるスレッドモータ」「トラックジャンプ」「ジャンプする総トラック本数」「加速トラック本数」「前記加速トラック本数に対応するジャンプパルスによって前記スレッドモータを駆動」「ジャンプしたトラック本数が前記加速トラック本数と等しくなったとき」に相当する。
・引用例記載の発明の「光学装置と共動し前記モーターによって回転するロッドの回転と同期したパルスを発生する円板等」が本願発明の「前記スレッドモータの回転に応じて回転」する円「板」及び円「板」を用いて「検出パルスを出力するセンサ」に相当する。
　
　したがって、本願発明と引用例記載の発明とは
「ピックアップをスレッド方向に移動してトラックジャンプさせるスレッドモータと、前記スレッドモータの回転に応じて回転する円板と、前記円板に用いて検出パルスを出力するセンサとを備え、前記スレッドモータを加速した後減速してトラックジャンプを行うスレッド移動方法において、
　ジャンプする総トラック本数から加速トラック本数を求め、
　前記加速トラック本数に対応するジャンプパルスによって前記スレッドモータを駆動し、
　ジャンプしたトラック本数が前記加速トラック本数と等しくなったとき前記スレッドモータの減速を開始し、
　前記スレッドモータの減速の開始の後、前記回転速度が所定値より小さくなるまで前記スレッドモータを減速させるようにしたことを特徴とする、スレッド移動方法。」
である点で一致し、以下の点で相違する。
・相違点１
　スレッドモータの回転に応じて回転する円板が、本願発明では複数のスリットが周方向等間隔に形成されている遮光板であり、該遮光板のスリットに応じて検出パルスが出力されるものであるのに対して、引用例記載の発明には具体的な構成が記載されていない点。
・相違点２
　スレッドモータの回転速度が所定値より小さくなるときを、補正後の発明は、前記検出パルスに基づいて前記スレッドモータの回転数をモニタしているのに対して、引用例記載の発明には具体的な構成が記載されていない点。
　
４．当審の判断
　上記相違点について検討する。
・相違点１に対して
　回転速度を検出するための円盤として、複数のスリットが周方向等間隔に形成されている遮光板は周知であり（必要とあらば、片岡昭栄編集「センサハンドブック」昭和６１年５月３０日発行、培風館、p.455　参照）、引用例記載の発明の回転速度を検出するための円盤に、複数のスリットが周方向等間隔に形成されている周知の遮光板を適用することは、当業者が容易に想起し得たことと認められる。
・相違点２に対して
　引用例記載の発明は、前述したように、前記スレッドモータの回転に応じて回転する円板と、前記円板を用いて検出パルスを出力するセンサとを備えており、引用例記載の発明のスレッドモータの回転速度が所定値より小さくなるときを、引用例１記載の発明が有する前記検出パルスに基づいてモニタすることは、当業者が容易に想起し得ることと認められる。
　
５．むすび
　以上の理由により、本願発明は、引用例記載の発明に基づいて当業者が容易に発明をすることができたものであるから、特許法第２９条第２項に規定により特許を受けることができない。
　よって、結論のとおり審決する。